(57)【要約】【課題】  形状の自由度が高く、さらに布材のように縁を折り返した縫い合わせの端が収納空間内にあらわれることがない工具・部品類収納具を提供する。【解決手段】  第１のポケット部材５を第１の軟質合成樹脂板の表面に第１の織布21または第１の不織布（図示せず）を重ね合わせた第１の素地22により形成する。第１のポケット部材５の素地の第1の正面部12と第1の左右側面部13との間を第１の縦向きの型押し線23を介して折り曲げ、第1の正面部12と第1の底面部14との間を第１の左右向きの型押し線を介して折り曲げ、第1の左右側面部13と第1の底面部との間を第１の前後向きの型押し線を介して折り曲げる。第１の縦向きの型押し線23、第１の左右向きの型押し線、第１の前後向きの型押し線を介して型押しにより成形することで、縫製作業にかかる加工頻度（作業工程）の短縮化が図れ、コストの低減と短納期化を行うことができる。【選択図】図１
0003111228.tif 000002
【実用新案登録請求の範囲】
【請求項１】
工具・部品類を収納する収納用空間を形成する収納部を、合成樹脂板表面に織布または不織布を重ね合わせると共に型押し線を介して折り曲げた素地により形成したことを特徴とする工具・部品類収納具。
【請求項２】
上方及び後方を開口すると共に第1の正面部と第1の左右側面部と第1の底面部を一体に備えた第１のポケット部材を、縦向きの平面状基板の正面に一体に設けて第１の工具類を収容する第１の収納用空間を形成した工具・部品類収納具において、前記第１のポケット部材を第１の合成樹脂板の表面に第１の織布または第１の不織布を重ね合わせた第１の素地により形成し、かつ前記第１の素地の前記第1の正面部と前記第1の左右側面部との間を第１の縦向きの型押し線を介して折り曲げ、前記第1の正面部と前記第1の底面部との間を第１の左右向きの型押し線を介して折り曲げ、前記第1の左右側面部と前記第1の底面部との間を第１の前後向きの型押し線を介して折り曲げたことを特徴とする工具・部品類収納具。
【請求項３】
前記第1の左右側面部と前記第1の底面部におけるそれぞれの第１の後縁を前記第１の収納用空間の外側に向けて前記基板の正面に沿うように設けると共に、該第１の後縁を前記基板に第１の縫着部により接続することを特徴とする請求項２記載の工具・部品類収納具。
【請求項４】
上方及び後方を開口すると共に第２の正面部と第２の左右側面部と第２の底面部を一体に備えた第２のポケット部材を、前記第１のポケット部材における第1の正面部の正面に一体に設けて第２の工具・部品類を収容する第２の収納用空間を形成し、前記第２のポケット部材を第２の合成樹脂板の表面に第２の織布または第２の不織布を重ね合わせた第２の素地により形成し、かつ前記第２のポケット部材の前記第２の正面部と前記第２の左右側面部との間を第２の縦向きの型押し線を介して折り曲げ、前記第２の正面部と前記第２の底面部との間を第２の左右向きの型押し線を介して折り曲げ、前記第２の左右側面部と前記第２の底面部との間を第２の前後向きの型押し線を介して折り曲げたことを特徴とする請求項２又は３記載の工具・部品類収納具。
【請求項５】
前記第２の左右側面部と前記第２の底面部におけるそれぞれの第２の後縁を、前記第1の左右側面部と第1の底面部に後方へ向けて沿うように設けると共に、該第２の後縁を前記第1の左右側面部と前記第1の底面部に第２の縫着部により接続することを特徴とする請求項４記載の工具・部品類収納具。
【請求項６】
前記ポケット部材に表示用型押し線からなる表示部を設けたことを特徴とする請求項２〜５のいずれか１項に記載の工具・部品類収納具。
【考案の詳細な説明】
【技術分野】
【０００１】
本考案は、螺子回しやスパナ或いはレンチ等の工具やそれを用いて作業するボルト・ナット等ねじやくぎなどの工具・部品類などを腰に吊り下げたり、持ち運ぶためのツールホルダやツールバッグ、工具ケース或いはパーツホルダやパーツバッグ等と称する工具・部品類収納具に関するものである。
【背景技術】
【０００２】
従来、この種のものとして化学繊維製の布材からなる平面状の基板の正面に、化学繊維製の布材によって形成からなる収納用ポケット部材を装着してなり、この収納用ポケット部材の外側には弾性を示す限界が大きい弾性材としてのゴム材からなる収納ポケットが設けらたものが知られている（例えば、特許文献１）。
【特許文献１】実用新案登録第３０９２２８０号公報
【考案の開示】
【考案が解決しようとする課題】
【０００３】
しかし、従来の化学繊維製の布材においては形状の自由度が比較的低く、さらにその縁を折り返して内側に縫い合わせを形成した後に、該縫い合わせ箇所を基板に縫着して両者を接続するというものであり、収納空間内に縫い合わせ箇所の端があらわれ、この結果収納空間に工具・部品類を収納した際、工具・部品類が縫い合わせ箇所の端に引っ掛かり取り出し難くなるなどのおそれ等がある。
【０００４】
解決しようとする問題点は、工具や部品等を収納するための工具・部品類収納具において、形状の自由度が高く、さらに布材のように縁を折り返した縫い合わせの端が収納空間内にあらわれることがない工具・部品類収納具を提供する点である。
【課題を解決するための手段】
【０００５】
請求項１の考案は、工具・部品類を収納する収納用空間を形成する収納部を、合成樹脂板表面に織布または不織布を重ね合わせると共に型押し線を介して折り曲げた素地により形成したことを特徴とする工具・部品類収納具である。
【０００６】
請求項２の考案は、上方及び後方を開口すると共に第1の正面部と第1の左右側面部と第1の底面部を一体に備えた第１のポケット部材を、縦向きの平面状基板の正面に一体に設けて第１の工具類を収容する第１の収納用空間を形成した工具・部品類収納具において、前記第１のポケット部材を第１の合成樹脂板の表面に第１の織布または第１の不織布を重ね合わせた第１の素地により形成し、かつ前記第１の素地の前記第1の正面部と前記第1の左右側面部との間を第１の縦向きの型押し線を介して折り曲げ、前記第1の正面部と前記第1の底面部との間を第１の左右向きの型押し線を介して折り曲げ、前記第1の左右側面部と前記第1の底面部との間を第１の前後向きの型押し線を介して折り曲げたことを特徴とする工具・部品類収納具である。
【０００７】
請求項３の考案は、前記第1の左右側面部と前記第1の底面部におけるそれぞれの第１の後縁を前記第１の収納用空間の外側に向けて前記基板の正面に沿うように設けると共に、該第１の後縁を前記基板に第１の縫着部により接続することを特徴とする請求項２記載の工具・部品類収納具である。
【０００８】
請求項４の考案は、上方及び後方を開口すると共に第２の正面部と第２の左右側面部と第２の底面部を一体に備えた第２のポケット部材を、前記第１のポケット部材における第1の正面部の正面に一体に設けて第２の工具・部品類を収容する第２の収納用空間を形成し、前記第２のポケット部材を第２の合成樹脂板の表面に第２の織布または第２の不織布を重ね合わせた第２の素地により形成し、かつ前記第２のポケット部材の前記第２の正面部と前記第２の左右側面部との間を第２の縦向きの型押し線を介して折り曲げ、前記第２の正面部と前記第２の底面部との間を第２の左右向きの型押し線を介して折り曲げ、前記第２の左右側面部と前記第２の底面部との間を第２の前後向きの型押し線を介して折り曲げたことを特徴とする請求項２又は３記載の工具・部品類収納具である。
【０００９】
請求項５の考案は、前記第２の左右側面部と前記第２の底面部におけるそれぞれの第２の後縁を、前記第1の左右側面部と第1の底面部に後方へ向けて沿うように設けると共に、該第２の後縁を該第1の左右側面部と第1の底面部に第２の縫着部により接続することを特徴とする請求項４記載の工具・部品類収納具である。
【００１０】
請求項６の考案は、前記ポケット部材に表示用型押し線からなる表示部を設けたことを特徴とする請求項２〜５のいずれか１項に記載の工具・部品類収納具である。
【考案の効果】
【００１１】
請求項１の考案によれば、型押し成形することができ、比較的自由な形状が可能となる。
【００１２】
請求項２の考案によれば、型押し線を介して型押しにより成形することで、縫製作業にかかる加工頻度の短縮化が図れ、コストの低減を行うことができる。
【００１３】
請求項３の考案によれば、内側にあらわれる縫い合せ部分をなくすることにより、内側に引っ掛かる部分がなくなるので、工具などの被収納物の取り出しがスムースに行われる。
【００１４】
請求項４の考案によれば、型押し線を介して型押しにより成形することで、縫製作業にかかる加工頻度の短縮化が図れ、コストの低減を行うことができる。
【００１５】
請求項５の考案によれば、内側にあらわれる縫い合せ部分をなくすることにより、内側に引っ掛かる部分がなくなるので、ボルト・ナットなどの被収納物の取り出しがスムースに行われる。
【００１６】
請求項６の考案によれば、デザイン性が高くなり、製品自体に高級感を有することができる。
【考案を実施するための最良の形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１８】
図１〜図３は実施例１を示しており、工具・部品類収納具は、二点鎖線で示した工具１やボルト・ナット２等ねじやくぎなどの工具・部品類を収納する第１の収納用空間３及びその正面側のやや下方に配置する第２の収納用空間４を第１のポケット部材５及び第２のポケット部材６により形成したものである。
【００１９】
前記工具・部品類収納具の後部には平面状基板７が縦向きに設けられている。この平面状基板７の後面には後板８を介して腰ベルト通し用のリング状となった装着部９を設けている。上方及び後方を開口して第1の上方開口部10及び第1の後方開口部11を形成すると共に第1の正面部12と第1の左右側面部13と第1の底面部14を一体に備えた前記第１のポケット部材５を、前記基板７の正面に一体に設けて工具１を収容する第１の収納用空間３を形成している。
【００２０】
さらに、上方及び後方を開口して第２の上方開口部15及び第２の後方開口部16を形成すると共に第２の正面部17と第２の左右側面部18と第２の底面部19を一体に備えた第２のポケット部材６を、第１のポケット部材５の第１の正面部12の正面に一体に設けてボルト・ナット２を収容する第２の収納用空間４を形成する。
【００２１】
また、前記第１のポケット部材５は、軟質ポリ塩化ビニルシートや発泡樹脂シート等の第１の軟質合成樹脂板20の表面たる前面及び後面に第１の織布21または第１の不織布（図示せず）を重ね合わせた第１の素地22により形成されている。尚、第１の軟質合成樹脂板20の前面又は後面に第１の織布21または第１の不織布（図示せず）を重ね合わせればよい。そして、第１の素地22の第1の正面部12と第1の左右側面部13との間を第１の縦向きの型押し線23を介して折り曲げており、また第1の正面部12と第1の底面部14との間を第１の左右向きの型押し線24を介して折り曲げ、さらに第1の左右側面部13と第1の底面部14との間を第１の前後向きの型押し線25を介して折り曲げている。第１の縦向きの型押し線23、第１の左右向きの型押し線24、及び第１の前後向きの型押し線25は、平板状の素地22を図示しない雌金型及び雄金型の間に介在してプレス加工することで形成されるものである。
【００２２】
そして、第1の左右側面部13と第1の底面部14におけるそれぞれの第１の後縁26を第１の収納用空間３の外側に向けて平面状基板７の正面に沿うように設けると共に、該後縁26を基板７に第１の縫着部27により接続している。この第１の縫着部27は基板７の縁と、この縁の前後にそれぞれ配置される第１の後縁26と後板８の縁とを包み込む第１の縁部材28の前後側に糸を通して縫着しているものである。
【００２３】
さらに、前記上方及び後方を開口して第２の上方開口部15及び第２の後方開口部16を形成すると共に第２の正面部17と第２の左右側面部18と第２の底面部19を一体に備えた第２のポケット部材６を、第１のポケット部材５における第1の正面部12の正面に一体に設けてボルト・ナット２を収納する前記第２の収納用空間４を形成している。第２のポケット部材６は第２の軟質合成樹脂板29の表面たる前面及び後面に第２の織布30または第２の不織布（図示せず）を重ね合わせた第２の素地31により形成している。尚、第２の軟質合成樹脂板29の前面又は後面に第２の織布30または第２の不織布（図示せず）を重ね合わせればよい。そして、前述と同様に第２のポケット部材６の第２の正面部17と第２の左右側面部18との間を第２の縦向きの型押し線32を介して折り曲げ、第２の正面部17と第２の底面部19との間を第２の左右向きの型押し線33を介して折り曲げ、第２の左右側面部18と第２の底面部19との間を第２の前後向きの型押し線34を介して折り曲げている。そして、第２の正面部17には「ＡＢＣ」のような文字や数字或いはロゴ、マーク等記号や模様などの表示部35が表示用型押し線36によって形成されている。
【００２４】
さらに、第２の左右側面部18と第２の底面部19におけるそれぞれの第２の後縁37を、第1の左右側面部13と第1の底面部14に後方へ向けて沿うように設けると共に、第２の後縁37を第1の左右側面部13と第1の底面部14に第２の縫着部38により接続する。この第２の縫着部38は第２の後縁37の左右外側と後側を覆う第２の縁部材39の左右側に糸を通して縫着しているものである。
【００２５】
また、前記平面状基板７は、第３の軟質合成樹脂板40の表面たる前面及び後面に第３の織布41または第３の不織布（図示せず）を重ね合わせた第３の素地42により形成されている。尚、第３の軟質合成樹脂板40の前面又は後面に第３の織布41または第３の不織布（図示せず）を重ね合わせればよい。
【００２６】
次に前記構成についてその作用を説明する。体に工具・部品類収納具を取り付けるにはズボンのベルトＢを装着部９に通して取り付ける。そして第1の上方開口部10及び第２のポケット部材６にそれぞれ工具１やボルト・ナット２を収納する。この状態において、第１の収納用空間３の内側に第１のポケット部材５の第１の後縁26があらわれるようなことはなく、この結果第１の収納用空間３に収納した工具１が第１の後縁26に引っ掛かって取り出し難くなるようなことはない。同様に第２の収納用空間４の内側に第２のポケット部材６の第２の後縁37があらわれるようなことはなく、この結果第２の収納用空間４に収納したボルト・ナット２が第２の後縁37に引っ掛かって取り出し難くなるようなことはない。
【００２７】
以上のように、前記実施例では請求項１に対応して工具１やボルト・ナット２類を収納する収納用空間３，４を形成する収納部を、軟質合成樹脂シート20，29，40の表面に織布22，30，41または不織布（図示せず）を重ね合わせると共に型押し線23，24，25，32，33，34を介して折り曲げた素地22，31によりなる第１のポケット部材５、第２のポケット部材６により形成したことにより、これら第１のポケット部材５、第２のポケット部材６を型押し成形することができ、比較的自由な形状が可能となり、さらに収納した工具１やボルト・ナット２等を傷つけることなく収納できる。
【００２８】
また、前記実施例では請求項２に対応して上方及び後方を開口すると共に第1の正面部12と第1の左右側面部13と第1の底面部14を一体に備えた第１のポケット部材５を、縦向きの平面状基板７の正面に一体に設けて第１の工具・部品類を収容する第１の収納用空間３を形成し、第１のポケット部材５を第１の軟質合成樹脂板20の表面に第１の織布21または第１の不織布（図示せず）を重ね合わせた第１の素地22により形成し、かつ第１のポケット部材５の素地の第1の正面部12と第1の左右側面部13との間を第１の縦向きの型押し線23を介して折り曲げ、第1の正面部12と第1の底面部14との間を第１の左右向きの型押し線24を介して折り曲げ、第1の左右側面部13と第1の底面部14との間を第１の前後向きの型押し線25を介して折り曲げたことにより、前記第１の縦向きの型押し線23、第１の左右向きの型押し線24、第１の前後向きの型押し線25を介して型押しにより成形することで、縫製作業にかかる加工頻度（作業工程）の短縮化が図れ、コストの低減と短納期化を行うことができる。しかも、型押し成形することで、製品輸送中の型崩れなどの製品劣化を防ぐことができる。
【００２９】
さらに、前記実施例では請求項３に対応して第1の左右側面部13と第1の底面部14におけるそれぞれの第１の後縁26を第１の収納用空間３の外側に向けて基板７の正面に沿うように設けると共に、該後縁26を基板７に第１の縫着部27により接続することによって、従来は第１の収納用空間３の内側にあらわれた縫い合せ部分をなくすることにより、内側に引っ掛かる部分がなくなるので、工具１などの被収納物の取り出しがスムースに行われる。また使用している際に内部に溜まる細かなゴミや部品屑なども容易に排出させることができる。しかも、従来手作業で行われていた縫製作業の個人差による縫い代の取り方が無くなる為、製品事態の寸法誤差を無くし、より均質な安定した製品の供給が可能となる。
【００３０】
また、前記実施例では請求項４に対応して上方及び後方を開口すると共に第２の正面部17と第２の左右側面部18と第２の底面部19を一体に備えた第２のポケット部材６を、第１のポケット部材５における第1の正面部12の正面に一体に設けてボルト・ナット２を収容する第２の収納用空間４を形成し、第２のポケット部材６を第２の軟質合成樹脂板29の表面に第２の織布30または第２の不織布（図示せず）を重ね合わせた第２の素地31により形成し、かつ第２のポケット部材６の第２の正面部17と第２の左右側面部18との間を第２の縦向きの型押し線32を介して折り曲げ、第２の正面部17と第２の底面部19との間を第２の左右向きの型押し線33を介して折り曲げ、第２の左右側面部18と第２の底面部19との間を第２の前後向きの型押し線34を介して折り曲げたことで、第２の縦向きの型押し線32、第２の左右向きの型押し線33、第２の前後向きの型押し線34を介して型押しにより成形することで、縫製作業にかかる加工頻度（作業工程）の短縮化が図れ、コストの低減と短納期化を行うことができる。しかも、型押し成形することで、製品輸送中の型崩れなどの製品劣化を防ぐことができる。
【００３１】
さらに、前記実施例では請求項５に対応して第２の左右側面部18と第２の底面部19におけるそれぞれの第２の後縁37を、第1の左右側面部13と第1の底面部14に後方へ向けて沿うように設けると共に、第２の後縁37を該第1の左右側面部13と第1の底面部14に第２の縫着部38により接続することにより、前述のように従来は第１の収納用空間３の内側にあらわれた縫い合せ部分をなくすることにより、ボルト・ナット２などの被収納物の取り出しがスムースに行われる等ができる。しかも、従来手作業で行われていた縫製作業の個人差による縫い代の取り方が無くなる為、より均質な安定した製品の供給が可能となる。
【００３２】
また、さらに、前記実施例では請求項６に対応して第２のポケット部材６に表示用型押し線36からなる表示部35を設けたことで、ロゴやマークを浮き出しさせることもできるので、デザイン性が高くなり、製品自体に高級感を持たせられ、またデザイン性を高くできることで、ファッション的要素の高い製品となる。
【産業上の利用可能性】
【００３３】
以上のように本考案にかかる工具・部品類収納具は、用途にも適用できる。さらに、実施例では工具と部品を収納するものを示したが、工具のみ、或いは部品のみを収納するものでもよい。
【図面の簡単な説明】
【００３４】
【図１】本考案の実施例１を示す全体斜視図である。
【図２】本考案の実施例１を示す要部の平断面図である。
【図３】本考案の実施例１を示す要部の縦断面図である。
【符号の説明】
【００３５】
１  工具（第１の工具・部品類）
２  ボルト・ナット（第２の工具・部品類）
３  第１の収納用空間
５  第１のポケット部材
６  第２のポケット部材
７  基板
12  第1の正面部
13  第1の左右側面部
14  第1の底面部
17  第２の正面部
18  第２の左右側面部
19  第２の底面部
20  第１の合成樹脂板
21  第１の織布
22  第１の素地
23  第１の縦向きの型押し線
24  第１の左右向きの型押し線
25  第１の前後向きの型押し線
26  第１の後縁
27  第１の縫着部
32  第２の縦向きの型押し線
33  第２の左右向きの型押し線
34  第２の前後向きの型押し線  
35  表示部
36  表示用型押し線
37  第２の後縁
38  第２の縫着部
【図１】
0003111228.tif 000003
【図２】
0003111228.tif 000004
【図３】
0003111228.tif 000005